(57)【要約】  原子炉の加圧容器のための流量制限ノズルは、入口面と出口面とを含むノズル本体を備える。ノズル本体は、入口面から出口面まで延びる複数の内部流路を形成する。複数の内部流路の各々は、収束部、スロート部、および発散部を含む。
2021506572.tif 000002
【特許請求の範囲】
【請求項１】
入口面および出口面を含むノズル本体を備え、同ノズル本体は、前記入口面から前記出口面まで延びる複数の内部流路を形成し、同複数の内部流路の各々は、収束部、スロート部、および発散部を含む、原子炉の加圧容器のための流量制限ノズル。
【請求項２】
前記ノズル本体が可動部のない受動的構造体である、請求項１に記載の流量制限ノズル。
【請求項３】
前記ノズル本体がモノリシック構造体である、請求項１に記載の流量制限ノズル。
【請求項４】
前記複数の内部流路が前記ノズル本体を通って平行に延びる、請求項１に記載の流量制限ノズル。
【請求項５】
前記スロート部が、前記ノズル本体の前記出口面よりも前記入口面の近傍にある、請求項１に記載の流量制限ノズル。
【請求項６】
前記収束部は、前記入口面に第１の領域を有し、前記発散部は、前記出口面に第２の領域を有し、前記スロート部は、前記スロート部の最も狭い部分に第３の領域を有し、同第３の領域は、前記第１の領域および前記第２の領域よりも小さい、請求項１に記載の流量制限ノズル。
【請求項７】
前記収束部が第１の長さを有し、前記発散部が第２の長さを有し、前記第１の長さが前記第２の長さよりも小さい、請求項１に記載の流量制限ノズル。
【請求項８】
前記複数の内部流路が、中央流路と、同中央流路を取り囲む複数の周辺流路とを含む、請求項１に記載の流量制限ノズル。
【請求項９】
前記中央流路の前記スロート部が、前記周辺流路の各々の前記スロート部よりも前記ノズル本体の前記入口面から遠い、請求項８に記載の流量制限ノズル。
【請求項１０】
前記ノズル本体が、前記ノズル本体の外部から前記中央流路および前記周辺流路のうちの少なくとも１つに延びるチャネルをさらに形成する、請求項８に記載の流量制限ノズル。
【請求項１１】
前記チャネルが、前記ノズル本体の前記入口面に向かって斜めに内向きに延びる、請求項１０に記載の流量制限ノズル。
【請求項１２】
前記チャネルが、前記複数の内部流路のうちの隣接する周辺流路の間を延びる、請求項１０に記載の流量制限ノズル。
【請求項１３】
前記チャネルが、前記中央流路および前記周辺流路のうちの少なくとも１つの前記スロート部まで延びる、請求項１０に記載の流量制限ノズル。
【請求項１４】
前記ノズル本体が、同ノズル本体の外部から突出する接続スタブをさらに含み、同接続スタブが、前記チャネルと流体連通する内部通路を形成する、請求項１０に記載の流量制限ノズル。
【請求項１５】
原子炉の加圧容器からの流れを制限する方法であって、
前記加圧容器に流量制限ノズルを固定する工程であって、前記流量制限ノズルは、入口面および出口面を含むノズル本体を有し、前記ノズル本体は、前記入口面から前記出口面まで延びる複数の内部流路を形成し、前記複数の内部流路の各々は、収束部、スロート部、および発散部を含む、固定工程と、
前記加圧容器からの流れを、前記流量制限ノズルの前記複数の内部流路を介して配向する工程とを含む、原子炉の加圧容器からの流れを制限する方法。
【請求項１６】
前記固定工程が、モノリシック構造体である前記流量制限ノズルを、前記加圧容器の外部に溶接する工程を含む、請求項１５に記載の方法。
【請求項１７】
前記固定工程が、前記流量制限ノズルの第１のセクションを前記加圧容器に取り付ける工程と、前記流量制限ノズルの第２のセクションを前記第１のセクションに取り付ける工程とを含む、請求項１５に記載の方法。
【請求項１８】
前記流れの配向工程が、前記流量制限ノズルを出るチョーク流れを生じさせる、請求項１５に記載の方法。
【請求項１９】
前記流れの配向工程が、流量制限ノズルから等速で出る安定化された流れを生じさせる、請求項１５に記載の方法。
【請求項２０】
原子炉の加圧容器のための流量制限ノズルを製造する方法であって、
入口面および出口面を含むノズル本体であって、同ノズル本体は、前記入口面から前記出口面まで延びる複数の内部流路を形成し、同複数の内部流路の各々は、収束部、スロート部、および発散部を含む、ノズル本体を形成する工程と、
前記加圧容器の予測された圧力変動に基づいて、前記入口面上の複数の内部流路の各々の前記収束部を独立して整形し、寸法決めをし、位置決めする工程と、
音響波の補強を緩和するために、前記複数の内部流路の各々の前記スロート部を前記入口面に対して相対的に独立して間隔をあけて配置する工程とを含む、原子炉の加圧容器のための流量制限ノズルを製造する方法。
【発明の詳細な説明】
【技術分野】
【０００１】
本開示は、加圧容器からの気体の流量を制限するための装置に関する。
【背景技術】
【０００２】
加圧容器からの気体の流量を制限するための従来の装置は、（例えば、蒸気ラインの遮断時に）必要な流量の制限を行うために作動するように構成された可動部材を含む。
【発明の概要】
【発明が解決しようとする課題】
【０００３】
しかしながら、可動部材が設けられることにより、装置の複雑さが増大するとともに、故障の危険性が高まる。
【課題を解決するための手段】
【０００４】
原子炉の加圧容器のための流量制限ノズルは、入口面と出口面とを含むノズル本体を備えてもよい。ノズル本体は、入口面から出口面に延びる複数の内部流路を形成してもよい。複数の内部流路の各々は、収束部、スロート部、および発散部を含んでもよい。
【０００５】
ノズル本体は、可動部のない受動的構造体であってもよい。
【０００６】
ノズル本体は、モノリシック構造体であってもよい。
【０００７】
複数の内部流路は、ノズル本体を通って平行に延びてもよい。
【０００８】
スロート部は、ノズル本体の出口面よりも入口面に近接してもよい。
【０００９】
収束部は、入口面に第１の領域を有してもよい。発散部は、出口面に第２の領域を有してもよい。スロート部は、スロート部の最も狭い部分に第３の領域を有してもよい。第３の領域は、第１の領域および第２の領域よりも小さくてもよい。
【００１０】
収束部は、第１の長さを有してもよい。発散部は、第２の長さを有してもよい。第１の長さは、第２の長さよりも小さくてもよい。
【００１１】
複数の内部流路は、中央流路と、中央流路を取り囲む周辺流路とを含んでもよい。
【００１２】
中央流路のスロート部は、周辺流路の各々のスロート部よりもノズル本体の入口面から離れていてもよい。
【００１３】
ノズル本体は、ノズル本体の外部から中央流路および周辺流路のうちの少なくとも一方に延びるチャネルをさらに形成してもよい。
【００１４】
チャネルは、ノズル本体の入口面に向かって斜めに内向きに延びてもよい。
【００１５】
チャネルは、複数の内部流路のうちの隣接する周辺流路の間に延びてもよい。
【００１６】
チャネルは、中央流路および周辺流路のうちの少なくとも一方のスロート部に延びてもよい。
【００１７】
ノズル本体は、ノズル本体の外部から突出する接続スタブをさらに含んでもよい。接続スタブは、チャネルと流体連通する内部通路を形成してもよい。
【００１８】
原子炉の加圧容器からの流量を制限する方法は、加圧容器に流量制限ノズルを固定する工程を含んでもよい。流量制限ノズルは、入口面と出口面とを含むノズル本体を有してもよい。ノズル本体は、入口面から出口面に延びる複数の内部流路を形成してもよい。複数の内部流路の各々は、収束部、スロート部、および発散部を含んでもよい。方法は、さらに、流量制限ノズルの複数の内部流路を介して加圧容器からの流れを配向する工程を含んでもよい。
【００１９】
固定工程は、流量制限ノズルを加圧容器の外部に溶接する工程を含んでもよい。流量制限ノズルは、モノリシック構造体であってもよい。
【００２０】
これに代えて、固定工程は、流量制限ノズルの第１のセクションを加圧容器に取り付ける工程と、流量制限ノズルの第２のセクションを第１のセクションに取り付ける工程とを含んでもよい。
【００２１】
流れの配向工程は、流量制限ノズルを出るチョーク流れを生じさせてもよい。
【００２２】
流れの配向工程は、流量制限ノズルから等速で出る安定化された流れを生じさせてもよい。
【００２３】
原子炉の加圧容器のための流量制限ノズルを製造する方法は、入口面と出口面とを含むノズル本体を製造する工程を含んでもよい。ノズル本体は、入口面から出口面に延びる複数の内部流路を形成してもよい。複数の内部流路の各々は、収束部、スロート部、および発散部を含んでもよい。方法は、さらに、加圧容器の予測された圧力変動に基づいて、入口面上の複数の内部流路の各々の収束部を独立して整形し、寸法決めをし、位置決めする工程を含んでもよい。方法は、音響波の補強を緩和するために、複数の内部流路の各々のスロート部を入口面に対して相対的に独立して間隔をあけて配置する工程をさらに含んでもよい。
【図面の簡単な説明】
【００２４】
【図１】例示的な実施形態による原子炉の加圧容器のための流量制限ノズルを示す側面図。
【図２】図１の流量制限ノズルの断面を示す出口端面図。
【図３】例示的な実施形態による別の流量制限ノズルの断面を示す出口端面図。
【図４】例示的な実施形態による別の流量制限ノズルの断面を示す出口端面図。
【図５】例示的な実施形態による別の流量制限ノズルの断面を示す出口端面図。
【図６】例示的な実施形態による原子炉の加圧容器のための流量制限ノズルの断面を示す上面透視図。
【図７】図６の流量制限ノズルの断面を示す側面図。
【図８】図６の流量制限ノズルの別の断面を示す上側透視図。
【図９】図８の流量制限ノズルの断面を示す側面図。
【図１０】図８の流量制限ノズルの断面を示す下側透視図。
【発明を実施するための形態】
【００２５】
本明細書の非限定的な実施形態の様々な特徴および利点は、添付の図面と併せて詳細な説明を検討すると、より明らかになるであろう。添付の図面は、単に例示目的で提供されているに過ぎず、特許請求の範囲を限定するように解釈されるべきではない。添付の図面は、特に明記されていない限り、縮尺で描かれたものとはみなされない。明瞭にするために、図面の様々な寸法が誇張されている場合がある。
【００２６】
要素または層が、別の要素または層の「上にある」、「接続されている」、「結合されている」、または「覆っている」と言及される場合、これは、他の要素または層の直接上にあるか、接続されているか、結合されているか、若しくは覆っているか、または介在する要素若しくは層が存在していてもよいことが理解されるべきである。これに対して、ある要素が「直接上にある」、「直接接続されて」、または「他の要素または層に直接結合されて」いると言及される場合、介在する要素または層は存在しない。同様の符号は、本明細書全体を通して同様の要素を示す。本明細書で使用されるように、「および／または」という用語は、関連付けられて記載された１つ以上の項目の任意のおよびすべての組み合わせを含む。
【００２７】
本明細書では、第１、第２、第３などの用語が、様々な要素、構成要素、領域、層、および／またはセクションを説明するために使用されることがあるが、これらの要素、構成要素、領域、層、および／またはセクションは、これらの用語によって限定されるべきではないことが理解されるべきである。これらの用語は、１つの要素、構成要素、領域、層、またはセクションを他の領域、層、またはセクションと区別するためにのみ使用される。したがって、後述する第１の要素、構成要素、領域、層、またはセクションは、例示的な実施形態の教示から逸脱することなく、第２の要素、構成要素、領域、層、またはセクションと称することができる。
【００２８】
空間的に相対的な用語（例えば、「ｂｅｎｅａｔｈ」、「ｂｅｌｏｗ」、「ｌｏｗｅｒ」、「ａｂｏｖｅ」、「ｕｐｐｅｒ」など）は、説明を容易にするために、本明細書では、図示のような別の１つ以上の要素または特徴に対する１つの要素または特徴の関係を説明するために使用されてもよい。空間的に相対的な用語は、図に描かれている配向に加えて、使用中または操作中の装置の異なる配向を包含することを意図していることが理解されるべきである。例えば、図の装置が裏返しされた場合、他の要素または特徴の「ｂｅｌｏｗ」または「ｂｅｎｅａｔｈ」と記載されている要素は、続いて、他の要素または特徴の「ａｂｏｖｅ」に配向されるであろう。したがって、「ｂｅｌｏｗ」という用語は、「上」の配向と「下」の配向の両者を包含してもよい。装置は、他の配向（９０度回転または他の配向）であってもよく、本明細書で使用される空間的に相対的な記述子は、それに応じて解釈される。
【００２９】
本明細書で使用される用語は、様々な実施形態のみを説明する目的であり、例示的な実施形態を限定することを意図していない。本明細書で使用されるように、単数形「ａ」、「ａｎ」、および「ｔｈｅ」は、文脈が明確にそうでないことを示さない限り、複数形も含むことが意図される。本明細書で使用される場合、用語「ｉｎｃｌｕｄｅｓ」、「ｉｎｃｌｕｄｉｎｇ」、「ｃｏｍｐｒｉｓｅｓ」、および「ｃｏｍｐｒｉｓｉｎｇ」のうちの少なくともいずれかは、記載された特徴、整数、ステップ、操作、要素、および構成要素のうちの少なくともいずれかの存在を特定するが、それらの１つ以上の他の特徴、整数、ステップ、操作、要素、構成要素、および群のうちの少なくともいずれかの存在または追加を排除するものではないことが、さらに理解されるであろう。
【００３０】
例示的な実施形態は、例示的な実施形態の理想化された実施形態（および中間構造体）の概略図である断面図を参照して本明細書に記載されている。したがって、例えば、製造技術および許容誤差のうちの少なくともいずれかの結果として、図示の形状からの変動が予想される。以上により、例示的な実施形態は、本明細書に図示された領域の形状に限定されるものと解釈されるべきではなく、例えば、製造に起因する形状の逸脱を含むものである。
【００３１】
別段の定義がない限り、本明細書で使用されるすべての用語（技術用語および科学用語を含む）は、例示的な実施形態が属する当該技術分野において通常の知識を有する者によって一般的に理解されるものと同じ意味を有する。一般的に使用されている辞書で定義されている用語を含む用語は、関連する技術の文脈においてその意味と一致する意味を有するものとして解釈されるべきであり、本明細書で明示的にそう定義されていない限り、理想化されたまたは過度に形式的な意味で解釈されないことが、さらに理解されるであろう。
【００３２】
図１は、例示的な実施形態による原子炉の加圧容器のための流量制限ノズルを示す側面図である。図１を参照すると、流量制限ノズル１００は、入口面１０４および出口面１０６を含むノズル本体１０２を備える。ノズル本体１０２は、入口面１０４から出口面１０６まで延びる複数の内部流路を形成する。複数の内部流路の各々は、収束部、スロート部、および発散部を含む。
【００３３】
流量制限ノズル１００の入口面１０４は、ノズル本体１０２のフランジ部であり、流量制限ノズル１００の出口面１０６は、ノズル本体１０２のテーパ部である。このように、入口面１０４は、出口面１０６よりも周長および表面積が大きい。ノズル本体１０２のフランジ部により、流量制限ノズル１００の原子炉を加圧容器（例えば、蒸気発生容器）に対して容易に取り付けることができる。入口面１０４は凹面であるように示されているが、代替的な実施形態では、入口面１０４は、流量制限ノズル１００が取り付けられる対象面に応じて凸面であってもよいことが理解されるべきである。
【００３４】
ノズル本体１０２は、ノズル本体１０２の外部から突出する器具タップまたは接続スタブ１１２をさらに含む。例えば、対向して配置された２つの接続スタブ１１２が設けられる。接続スタブ１１２には、圧力センサが接続される。ノズル本体１０２は、可動部を有しない受動的な構造体である。例えば、ノズル本体１０２は、モノリシック構造体である。
【００３５】
図２は、図１の流量制限ノズルの断面を示す出口端面図である。図２を参照すると、例示的な実施形態はこれに限定されるものではないが、流量制限ノズル１００のノズル本体１０２は、円形の断面を有する。例えば、ノズル本体１０２は、これに代えて多角形の断面を有してもよい。
【００３６】
ノズル本体１０２は、その内部を通って延びる複数の内部流路を形成する。複数の内部流路は、等間隔に配列（例えば、六角形格子、三角格子）され、ノズル本体１０２内に中央に配置される。例示的な実施形態では、複数の内部流路は、同じ断面形状および大きさである。例えば、複数の内部流路の各々は、断面形状が円形であってもよいし、他の形状（例えば、断面形状が楕円形）であってもよい。複数の内部流路は、中央流路１０８と、中央流路１０８を取り囲む周辺流路１１０とを含む。中央流路１０８は、ノズル本体１０２の中央長手方向軸線と一致する。周辺流路１１０の各々は、隣接する周辺流路１１０と同様に、中央流路１０８から等距離に離間する。６つの周辺流路１１０が示されているが、条件に応じて異なる数が実施されてもよいことが理解されるべきである。
【００３７】
両接続スタブ１１２の各々は、ノズル本体１０２の中心、ひいては中央流路１０８に向かって指示するように径方向に配向されており、かつ隣接する周辺流路１１０の間に配置される。両接続スタブ１１２は、約１８０度離れているように、９時の位置および３時の位置に配置される。
【００３８】
図３は、例示的な実施形態による別の流量制限ノズルの断面を示す出口端面図である。図３を参照すると、接続スタブ１１２’を除いて、流量制限ノズル１００’は、図２の流量制限ノズル１００に関連して記載された通りである。特に、図３のノズル本体１０２’、中央流路１０８’、および周辺流路１１０’は、図２のノズル本体１０２、中央流路１０８、および周辺流路１１０に対応する。したがって、簡潔にするために、以前に記載された対応する開示は、本項では繰り返されない。
【００３９】
図３に示すように、両接続スタブ１１２’の各々は、ノズル本体１０２’の中心、ひいては中央流路１０８’に向かって指示するように径方向に配向されており、隣接する周辺流路１１０’の間に配置される。接続スタブ１１２’は、１２０度離れているように、１０時の位置および２時の位置に配置される。しかしながら、流量制限ノズル１００’の視野が（例えば、時計回りに）回転された場合、接続スタブ１１２’は、１２時の位置および４時の位置（または回転に応じた他の位置）に配置されているとみなされてもよいことが理解されるべきである。いずれにしても、図３に示す接続スタブ１１２’は、回転に関係なく約１２０度離れている。
【００４０】
図４は、例示的な実施形態による別の流量制限ノズルの断面を示す出口端面図である。図４を参照すると、流量制限ノズル１００”は、図２の流量制限ノズル１００に関連して一般的に記載されているようなものである。したがって、簡潔にするために、以前に記載された対応する開示は、本項では繰り返されない。図４の流量制限ノズル１００”に示された相違点を後述する。
【００４１】
図４の流量制限ノズル１００”に示すように、複数の内部流路は、（ノズル本体１０２”内で中央に位置しているのではなく）ノズル本体１０２”の一方の側にシフトしてもよい。複数の内部流路は、同じ断面形状（例えば、円形断面形状）であってもよいが、異なる大きさであってもよい。例示的な実施形態では、中央流路１０８”は、周辺流路１１０”よりも大きくてもよい。中央流路１０８”はまた、ノズル本体１０２”の中央長手方向軸線に対して中心からずれていてもよい。周辺流路１１０”は、互いに大きさが異なっていてもよい。例えば、例示的な実施形態は、周辺流路１１０”のうちの４つの周辺流路１１０”が、（中央流路１０８”に対して）中間的なサイズであってもよいし、周辺流路１１０”のうちの３つの周辺流路１１０”が、より小さいサイズであってもよいが、これらに限定されるものではない。加えて、１つ以上の周辺流路１１０”は、互いに対して中央流路１０８”とは異なる間隔を有してもよい。さらに、１つの中央流路１０８”と７つの周辺流路１１０”とが示されているが、条件に応じて異なる数が実施されてもよいことが理解されるべきである。
【００４２】
接続スタブ１１２”の各々は、隣接する周辺流路１１０”の間に配置されてもよく、また、中央流路１０８”に向かうように径方向に配向されてもよい。接続スタブ１１２”は、６０度離れているように、１１時の位置および１時の位置に配置される。しかしながら、流量制限ノズル１００”の視野が（例えば、時計回りに）回転された場合、接続スタブ１１２”は、１２時の位置および２時の位置（または回転に応じた他の位置）に配置されているとみなされてもよいことが理解されるべきである。いずれにしても、図４に示すように、接続スタブ１１２”は、回転に関係なく６０度離れていることになる。
【００４３】
図５は、例示的な実施形態による別の流量制限ノズルの断面を示す出口端面図である。図５を参照すると、周辺流路１１０”’を除いた流量制限ノズル１００”’は、図４の流量制限ノズル１００”に関連して記載された通りである。特に、図５のノズル本体１０２”’、中央流路１０８”’、および接続スタブ１１２”’は、図４のノズル本体１０２”、中央流路１０８”、および接続スタブ１１２”に対応する。したがって、簡潔にするために、以前に記載された対応する開示は、本明細書では繰り返されない。図５の流量制限ノズル１００”’に示された相違点を後述する。
【００４４】
図５に示すように、周辺流路１１０”’は、断面寸法および形状が互いに異なっていてもよい。例えば、周辺流路１１０”’のうちの４つの周辺流路１１０”’が中間サイズであり、周辺流路１１０”’のうちの３つの周辺流路１１０”’がより小さいサイズであることに加えて、より小さいサイズの周辺流路１１０”’のうちの２つの周辺流路１１０”’が楕円形の断面形状を有していてもよい。図示しないが、条件によっては、ノズル本体１０２”’は、これに代えて中央流路１０８”’が周辺流路１１０”’よりも小さい寸法であるように構成されてもよいことが理解されるべきである。さらに、中央流路１０８”’は、図示されているものとは異なる形状（例えば、楕円形の断面形状）を有していてもよい。
【００４５】
図６は、例示的な実施形態による原子炉の加圧容器のための流量制限ノズルの断面を示す上面透視図である。図６を参照すると、流量制限ノズル２００は、入口面２０４および出口面２０６を含むノズル本体２０２を備える。ノズル本体２０２は、入口面２０４から出口面２０６まで延びる複数の内部流路を形成する。図６の複数の内部流路は、例示的な実施形態はこれに限定されないが、図２の複数の内部流路に対応することができる。図６において、複数の内部流路は、ノズル本体２０２を通って平行に延びてもよい。複数の内部流路の各々は、収束部、スロート部、および発散部を含む。非限定的な実施形態では、複数の内部流路の各々のスロート部は、ノズル本体２０２の出口面２０６よりも入口面２０４の近傍にある。
【００４６】
図６に示すように、複数の内部流路は、中央流路２０８と、中央流路２０８を取り囲む周辺流路２１０とを含む。中央流路２０８は、収束部２０８ａ、スロート部２０８ｂ、および発散部２０８ｃを含み、周辺流路２１０の各々は、収束部２１０ａ、スロート部２１０ｂ、および発散部２１０ｃを含む。中央流路２０８は、ノズル本体２０２の中央長手方向軸線と一致する。周辺流路２１０の各々は、例示的な実施形態ではこれに限定されないが、隣接する周辺流路２１０と同様に、中央流路２０８から等距離に離れていてもよい。
【００４７】
流量制限ノズル２００の入口面２０４は、ノズル本体２０２のフランジ部であり、流量制限ノズル２００の出口面２０６は、ノズル本体２０２のテーパ部である。このように、入口面２０４は、出口面２０６よりも周長および表面積が大きくてもよい。ノズル本体２０２のフランジ部により、流量制限ノズル２００の原子炉の加圧容器（例えば、蒸気発生容器）に対して容易に取り付けることができる。入口面２０４は凹面であるように示されているが、代替的な実施形態では、入口面２０４は、流量制限ノズル２００が取り付けられる対象面に応じて凸面であってもよいことが理解されるべきである。
【００４８】
ノズル本体２０２は、ノズル本体２０２の外部から突出する器具タップまたは接続スタブ２１２をさらに含む。例えば、対向して配置された２つの接続スタブ２１２が設けられてもよい。接続スタブ２１２には、圧力センサが接続されていてもよい。接続スタブ２１２は、開口部２１６を介して中央流路２０８のスロート部２０８ｂと流体連通する。別例では、図示しないが、開口部２１６は、接続スタブ２１２が開口部２１６を介してスロート部２１０ｂと流体連通するように、周辺流路２１０のスロート部２１０ｂにこれに代えて（または追加的に）配置されてもよい。さらに、ノズル本体２０２は、可動部を有さない受動的な構造体であってもよい。例えば、ノズル本体２０２は、モノリシック構造体であってもよい。
【００４９】
図７は、図６の流量制限ノズルの断面を示す側面図である。図７を参照すると、中央流路２０８の収束部２０８ａは、ノズル本体２０２の入口面２０４に第１の領域を有する。中央流路２０８の発散部２０８ｃは、ノズル本体２０２の出口面２０６に第２の領域を有する。中央流路２０８のスロート部２０８ｂは、スロート部２０８ｂの最も狭い部分に第３の領域を有する。中央流路２０８の第３の領域は、第１の領域および第２の領域よりも小さい。
【００５０】
同様に、周辺流路２１０に関して、各周辺流路２１０の収束部２１０ａは、ノズル本体２０２の入口面２０４に第１の領域を有する。各周辺流路２１０の発散部２１０ｃは、ノズル本体２０２の出口面２０６に第２の領域を有する。各周辺流路２１０のスロート部２１０ｂは、スロート部２１０ｂの最も狭い部分に第３の領域を有する。各周辺流路２１０の第３の領域は、第１の領域および第２の領域よりも小さい。
【００５１】
加えて、中央流路２０８の収束部２０８ａは、第１の長さを有する。中央流路２０８の発散部２０８ｃは、第２の長さを有する。中央流路２０８の第１の長さは、第２の長さよりも短い。
【００５２】
同様に、周辺流路２１０に関して、各周辺流路２１０の収束部２１０ａは、第１の長さを有する。各周辺流路２１０の発散部２１０ｃは、第２の長さを有する。各周辺流路２１０の第１の長さは、第２の長さよりも短い。
【００５３】
さらに、中央流路２０８のスロート部２０８ｂは、周辺流路２１０の各スロート部２１０ｂよりもノズル本体２０２の入口面２０４から離れている。このような例では、原子炉の加圧容器に関連して流量制限ノズル２００を使用する間、中央流路２０８のスロート部２０８ｂは、周辺流路２１０の各スロート部２１０ｂに対して下流側に位置することになる。
【００５４】
図８は、図６の流量制限ノズルの別の断面を示す上面透視図である。特に、図８の流量制限ノズル２００の断面は、ノズル本体２０２の隣接する周辺流路２１０の間にある。図８を参照すると、ノズル本体２０２は、ノズル本体２０２の外部から中央流路２０８に向かって延びる一対のチャネル２１４をさらに形成する。接続スタブ２１２の各々は、チャネル２１４の対応する１つと流体連通する内部通路を形成する。これらにより、チャネル２１４は、接続スタブ２１２を中央流路２０８のスロート部２０８ｂに流体的に接続する。加えて、図８に示すように、チャネル２１４は、複数の内部流路のうち隣接する周辺流路２１０の間を延びる。例示的な実施形態によれば、接続スタブ２１２およびチャネル２１４は、対向する接続スタブ２１２および関連付けられたチャネル２１４が互いに反映するように、正に対称的に配置される。別の実施例では、図示していないが、チャネル２１４はまた、接続スタブ２１２を１つ以上の周辺流路２１０のスロート部２１０ｂに流体的に接続するように設けられてもよい。
【００５５】
図９は、図８の流量制限ノズルの断面を示す側面図である。図９を参照すると、チャネル２１４は、ノズル本体２０２の入口面２０４に向かって斜めに内向きに延びる。例示的な実施形態によれば、チャネル２１４は、中央流路２０８のスロート部２０８ｂまで延びる。異なる開口部２１６（図６）が各チャネル２１４に関連付けられているが、チャネル２１４は、中央流路２０８のスロート部２０８ｂに収束しているものとみなされる。さらに、例示的な実施形態はこれに限定されないが、接続スタブ２１２は、ノズル本体２０２の入口面２０４と出口面２０６との間のほぼ中間点に配置されてもよい。
【００５６】
図１０は、図８の流量制限ノズルの断面を示す下側透視図である。図１０を参照すると、中央流路２０８の収束部２０８ａと周辺流路２１０の収束部２１０ａは、ノズル本体２０２の入口面２０４で共有の境界を有するように、互いに直接隣接している。例えば、ノズル本体２０２の入口面２０４における周辺流路２１０のうちの１つの収束部２１０ａの境界は、それに隣接する周辺流路２１０の２つの収束部２１０ａの境界の一部をさらに形成する。加えて、周辺流路２１０の収束部２１０ａの境界は、ノズル本体２０２の入口面２０４における中央流路２０８の収束部２０８ａの境界を形成する。
【００５７】
本明細書に開示された流量制限ノズルは、原子炉の加圧容器からの流量を制限するために使用することができる。例として図６乃至１０を参照して、原子炉の加圧容器からの流量を制限する方法は、加圧容器に流量制限ノズル２００を固定する工程を含む。流量制限ノズル２００は、入口面２０４および出口面２０６を含むノズル本体２０２を有する。ノズル本体２０２は、入口面２０４から出口面２０６まで延びる複数の内部流路を形成する。複数の内部流路の各々は、収束部、スロート部、および発散部を含む。方法は、さらに、流量制限ノズル２００の複数の内部流路を介して加圧容器からの流れを配向する工程を付加的に含む。
【００５８】
固定工程は、流量制限ノズル２００を加圧容器の外部に溶接する工程を含む。流量制限ノズル２００は、モノリシック構造体である。これに代えて、固定工程は、流量制限ノズルの第１のセクションを加圧容器に取り付ける工程と、流量制限ノズルの第２のセクションを第１のセクションに取り付ける工程とを含んでもよい。
【００５９】
流れの配向工程は、流量制限ノズル２００を出るチョーク流れを生じさせる。流れの配向工程は、流量制限ノズル２００から等速で出る安定化された流れを生じさせる。
【００６０】
さらに、例として図６乃至１０を参照すると、原子炉の加圧容器のための流量制限ノズル２００を製造する方法は、入口面２０４および出口面２０６を含むノズル本体２０２を形成する工程を含む。ノズル本体２０２は、入口面２０４から出口面２０６まで延びる複数の内部流路を形成する。複数の内部流路の各々は、収束部、スロート部、および発散部を含む。方法は、さらに、加圧容器の予測された圧力変動に基づいて、入口面２０４上の複数の内部流路の各々の収束部を独立して整形し、寸法決めをし、位置決めする工程を含む。方法は、音響波の補強を緩和するために、複数の内部流路の各々のスロート部を入口面２０４に対して相対的に独立して間隔をあけて配置する工程をさらに含む。
【００６１】
本明細書に開示された流量制限ノズル、およびそれに関連する設計、使用、および製造は、本出願の例示的な実施形態に従って、以下でさらに詳細に論じられる。本明細書に開示されているものは、複数の平行通路を用いたコンパクト化、ノズル軸の角度調整、圧力変動、流量分布、流れのスワール、音響圧力波の伝達を制御するための流入・流出ポートの整形を特徴とする蒸気発生容器に使用するための流量制限ノズルである。流量制限ノズルは、設置後に交換可能／更新可能なように構成される。例示的な実施形態によれば、流量制限ノズルは可動部分を有さない。流量制限ノズルは、新規または既存の容器に適用することができる。流量制限ノズルは、飽和状態または過熱状態の蒸気サービス容器の流量制限に関連して利用することができる。しかしながら、流量制限ノズルは、容器流量制限ノズルの要件を有する他の蒸気、気体、および／または液体（例えば、水）の用途にも適用され得ることが理解されるべきである。
【００６２】
流体力学の原理は、現在のノズルに影響を与える問題に対処するために適用される。例示的な実施形態によれば、複数の平行な流路は、フローノズル吸気およびベンチュリノズル吐出流の原理の組み合わせを使用してそれぞれ形成される。
【００６３】
入口圧力場と流れは一般的に不均一かつ不安定であり、多くの場合、巻き込み渦とスワールを生じる。高度な解析的な流れシミュレーションを適用することにより、複数の平行流路制限ノズル内の個々の流路ポートの数、ポートの形状、入口角、ポートの位置、付属機能、および個々のスロートの寸法は、これらの入口条件の悪影響を軽減するように対応して変化させることができる。入口ポートの表面は円滑かつ均一なものであってもよいし、凸凹や溝があってもよい。加えて、形状は、円形、楕円形、または楕円形の非対称版であってもよい。
【００６４】
スロート面積は、ノズルのすべてのポートに対して一様であってもよく、または、より高い圧力を有するノズル入口面の部分がより大きなスロート流量面積を有する一方で、より低い圧力を有する入口面の部分がより小さなスロート流量面積を有するように、入口での非一様な圧力場予測を利用するために変化させてもよい。全体の流れ領域は、シングルパスの流量制限ノズルの流れ領域とほぼ同等である。ノズル内のスロートの位置は、入口面から一様な距離であってもよいし、複数通路の流量制限ノズルの入口または出口における音響波の補強を防止または低減するために、音響分析に応じて変化させてもよい。
【００６５】
吐出ノズルは、ベンチュリ膨張のための工学的規則に従って、スロートからノズル出口面までの総圧力損失を最小にして最大の圧力回復を得るために、比較的浅い角度になっている。吐出ノズルは、ノズル出口端部に直交する一本の直線状の管路軸線に平行に配置可能である。これに代えて、スロート部からの出口流路は、ノズル出口端での配管接続界面を最適化するために、数度の角度が付けられていてもよい。付属機能は、入口または出口のアンチスワール（流れを直線的にする）ブレードを含み、耐腐食性を備えた溶接オーバーレイ材料の厚みを変化させることができ、また、圧力センサタップを含むことができる。
【００６６】
ノズル全体を一体的に形成してもよい。これに代えて、ノズルは２部分から構成されてもよく、２部分の形態では、装置の耐用年数中にノズルを取り外したり、交換したりすることができる。ノズル形状は、少なくとも３つのアプローチに従って製造することができる。第１のアプローチでは、一体型の複数の平行流路の流量制限ノズルは、元の工場製作の間に容器に溶接された恒久的な形態である。第２のアプローチでは、オリジナルの製作または後付けの容器の修正のために、２部分からなるノズル形態の第１の部分は、容器に溶接されているとともにソケットまたはチャンバを形成し、これに第２のマルチポート制限要素の部分が機械的に挿入され、かつユニットサービスの前に固定される。第３のアプローチでは、後付け容器のノズル変形のために、第１の部分は、材料の極低温収縮による干渉適合の原理を用いて既存のノズルボア内の所定の位置に挿入される機械的ロック機構であって、熱平衡化によってこの部分が再膨張する際に当該部分を恒久的にシールするとともにロックする外部機械的パターンを有するものである。ロック機構が所定の位置にある状態で、第２のマルチパス制限要素部分がユニットサービスの前に機械的に挿入されるとともに固定される。
【００６７】
ノズルを通る質量流量を複数のサブ流量に分離することにより、各流路のスロート径を減少させて、平行流路制限の総和効果によって総流量制限機能が満たされるようにして、ベンチュリ吐出の全体的な回復長さを低減し、これによりノズル全長が等価な単一流路ノズルよりもはるかに短くなる。マルチパスの流量制限ノズルの全直径は、容器製造への影響が無視できるほど、同等のシングルパスノズルのそれに非常に近い状態を保持する。ノズルの長さは、スロートオリフィスの直径に直接比例するベンチュリ吐出膨張長の関数である。個々の流路の小さなスロートオリフィスからノズル吐出面までの流量回復長さを短縮したことにより、工場での製作中に容器に完全に取り付けるのに充分にノズルがコンパクトになり、現場配置後に容器のノズル製作を完了させるために、ノズル延長部の高価で時間とスペースのかかる現場でのフィッティング、溶接、熱処理が必要なくなる。
【００６８】
ポート入口の形状および寸法を変更することにより、利用可能な流れ領域をノズル入口面での入口圧力分布に対してより密接に一致させることにより、流路の単位面積当たりの質量流量を均一化することができる。その結果、流れは続いて、等速で平行な流路を通過する。これは、ノズルの他のポートと比較した相対的な流量の「飢餓」に起因する、任意の個々の流路における不利な流れ現象を発生させる可能性の最小化に寄与し、また、異なる流速での個々の流路の流れの再結合に起因する再循環流失条件によって生じるノズル出口での渦または下流の流路領域の変位に起因する可能性の最小化に寄与する。
【００６９】
例えば、ポート入口の数、個々のポートのスロート径、およびノズル入口面上のそれらの相対的な位置を選択することにより、主蒸気ノズル昇降とＢＷＲ原子炉容器蒸気乾燥機構造物昇降との間の蒸気流干渉を緩和することができる。非対称な入口配置により、ノズルの公称中心線軸に対して小さな角度で個々の流路を製造することができ、これにより、ノズル出口面で出口流領域を均一に満たすために吐出ポートの再分配が可能となる。
【００７０】
ノズルから下流の配管に発生する音響波は、高サイクル疲労により容器内構造物に対して損傷を与える可能性がある。低周波音響波は最もエネルギーを運搬し、容器内部構造物の金属疲労破壊を引き起こす可能性が高い。音響圧力波は、複数の平行流路の流量制限ノズルによって波エネルギーの一部が反射されて部分的に減衰される。波エネルギーの残りは、ノズルのより小さい直径の平行流路のそれぞれで生成される個々のより高い周波数の波パケットによる周波数変換およびエネルギー分割の対象となる。構造体の音響的な調整により、これらの送信された高周波数波のパケットが互いに強化するために再結合されることが回避される。したがって、容器内構造物に到達するエネルギーインパルスは、内部構造物の共振周波数からさらに離れており、より低いエネルギーのものとなる。これにより、配管系の音響的に誘起される高サイクル疲労による内部構造物破損の可能性が緩和される。
【００７１】
ノズル構造体の付属機能が使用されることにより、性能がさらに向上し、質量エネルギー伝達効率が向上し、流量監視が支援される。流れのスワールを最小限に抑えるために、流れ軸線方向への流入を強化するとともに、スワールに起因する寄生抗力現象を中断するために、溝付き入口を使用してもよい。頂点は、交差する流れを移動させるために鋭く尖っていてもよいし、二等分ブレード、三等分ブレード、または四等分ブレードパターンのような流れを矯正するブレード（フォイル、ベーン）を形成するために接合されていてもよい。さらに、流れが全管径に達する前に形成される遷移渦に起因するスワールの発生を制限するために、個々のベンチュリ膨張出口に流れを矯正するブレードを備えることができる。アンチスワールブレードは、抗力の源となる交差流の流れや下流側の渦を打ち消すことで、流れを安定化させてもよい。
【００７２】
吐出ベンチュリ膨張ノズルを数度でも角度をつけることで、ノズル吐出面と配管との接続位置を調整してシステムの配管界面を改善することができ、下流側の流れにスワールを再導入する傾向にある必要な配管の屈曲を低減することができる。
【００７３】
溶接金属オーバーレイの変形例は、より高い侵食の可能性を有する領域に対処し、選択的な機械加工および表面の平滑化によって、製作中の流路形成が可能となる。
【００７４】
圧力感知ポートは、差圧と流量との等価性を用いて、ノズルを通る質量流量を決定することができるように、上流側（入口面）圧力およびスロート部の圧力を測定することができる。
【００７５】
任意により２部分からなる複数の平行流路の流量制限ノズルを使用することにより、マルチポート制限要素部分を除去、および改装または交換することによって、稼働中に発生する摩耗および浸食を管理することができる。これにより、さらに、容器の圧力境界に対する変更を伴うことなく、制限ノズルの総質量流量を増加または減少させるための変更が可能となる。
【００７６】
本明細書のノズル設計により、解析的に実証されている流れのスワールによって引き起こされる圧力損失が実質的に低減され、また、ノズル設計は、蒸気ノズルに直接対向する蒸気乾燥機の外側バンク表面上の観察可能な研磨効果によって明示されている。
【００７７】
改善された蒸気流送達により、付加的なコアエネルギーを追加することなく、ユニットの潜在的なメガワット電気出力が増加する。
【００７８】
現在の制限ノズル設計の現場における容器製作ステップを排除することで、大幅な建設コストを節約することができる。また、主蒸気配管とのインターフェイスの改善により、蒸気の送出量の向上にも貢献している。
【００７９】
マルチパス流量制限ノズルのコンパクトな設計により、完全なノズルを、容器を取り囲む他の構造物や蒸気ノズルの近傍に干渉することなく、圧力容器内に設置することができる。
【００８０】
後付けプラントについては、インラインベンチュリ制限器を容器マルチパス流量制限ノズル設計に置き換えることで、現在の無制限蒸気管破断の仮定と比較してＬＯＣＡの影響を低減することができる。
【００８１】
音響波の減衰により、下流の音響発生器（例えば、リリーフバルブ分岐配管）による蒸気乾燥機アセンブリの周期的な負荷が低減される。これにより、乾燥機の故障の可能性を軽減することができる。さらに、複数パスの流量制限ノズルの設計のより小さい流路オリフィスは、破片のより小さい部分を除くすべての破片が蒸気ラインに排出されることを効果的に防止するであろう。この破片のスクリーニングは、任意の特定のプラントの容器に設置されたノズルの設計が、入口、出口、または入口と出口の流量を矯正するブレードを含む場合に特に効果的である。
【００８２】
加えて、音響波の部分的な閉塞は、下流の配管系における突然の弁閉鎖によるインパルス波または衝撃波を含み、容器内部で経験される過渡的な負荷を緩和する。その結果、蒸気システムの過渡現象の早期に大量排出を低減するために、下流側配管を閉じるための閉鎖時間をより速くすることが容易になる。
【００８３】
初期の肉厚オーバーレイクラッド用に制限ノズルを設計することにより、通路の外形再構成と制限ノズルの容量定格の再認証のためにクラッドの一部を機械加工することを可能にすることによって、後の稼働におけるパワー／流量の増加のためにノズルを適応させるための作り付けの手段が提供される。
【００８４】
本明細書に記載されている２部分からなる設計により、元の構成部分の工場製作が簡素化される。この概念により、また、容器の外側にある制限要素のルーチン検査が可能となる。容器から離れた場所でのメンテナンスにより、溶接が関与せず、かつすべての作業を制御された工場環境で行うことができるため、制限要素の改修または交換が容易になり、簡素化される。容器から離れた場所でメンテナンス作業を行うことで、容器の破損や容器内の異物の紛失などの物質的リスクが大幅に軽減され、また、作業を行うメンテナンス要員のリスクを軽減することができる。また、これにより、標準的な精密工場工具を使用することができ、原位置検査や修理で可能な限りより正確かつ複雑な方法が可能となる。新しいインサート部品を製造し、変更の前に認定することができるので、制限要素を交換する能力により、設計質量流量の変更のために容器を迅速に修理することができる。
【００８５】
容器への溶接が必要とされないので、制限要素インサートを製造するための材料選択の選択肢として、容器およびメインノズルチャンバの基材と熱的に互換性もある利用可能な耐腐食性または耐浸食性材料および合金のより広い選択を利用することができる。
【００８６】
入口面静圧および支配的経路（例えば、中央ポート）ベンチュリ・スロート圧力のための一体型圧力感知ポートを有するマルチパス流蒸気流制限要素を設計することにより、制限ノズルは、試験台で較正されるとともに容量が認証され得る。これは、プラントから外部で行うことができる。ノズルの差圧計装接続は簡素化され、ノズル性能の正確な供用中測定が確実に行われる。
【００８７】
多くの例示的な実施形態が本明細書に開示されているが、他の変形が可能であることが理解されるべきである。そのような変形は、本開示の趣旨および範囲からの逸脱とみなされるべきではなく、当業者には自明であろうそのような修正はすべて、以下の特許請求の範囲に含まれることが意図されている。
【図１】
2021506572.tif 000003
【図２】
2021506572.tif 000004
【図３】
2021506572.tif 000005
【図４】
2021506572.tif 000006
【図５】
2021506572.tif 000007
【図６】
2021506572.tif 000008
【図７】
2021506572.tif 000009
【図８】
2021506572.tif 000010
【図９】
2021506572.tif 000011
【図１０】
2021506572.tif 000012
【手続補正書】
【提出日】令和2年8月19日(2020.8.19)
【手続補正２】
【補正対象書類名】特許請求の範囲
【補正対象項目名】全文
【補正方法】変更
【補正の内容】
【特許請求の範囲】
【請求項１】
入口面（２０４）および出口面（２０６）を含むノズル本体（２０２）を備え、同ノズル本体（２０２）は、前記入口面（２０４）から前記出口面（２０６）まで延びる複数の内部流路（２０８／２１０）を形成し、同複数の内部流路（２０８／２１０）の各々は、収束部（２０８ａ／２１０ａ）、スロート部（２０８ｂ／２１０ｂ）、および発散部（２０８ｃ／２１０ｃ）を含む、原子炉の加圧容器のための流量制限ノズル（２００）。
【請求項２】
前記ノズル本体（２０２）が可動部のない受動的構造体である、請求項１に記載の流量制限ノズル（２００）。
【請求項３】
前記ノズル本体（２０２）がモノリシック構造体である、請求項１に記載の流量制限ノズル（２００）。
【請求項４】
前記複数の内部流路（２０８／２１０）が前記ノズル本体（２０２）を通って平行に延びる、請求項１に記載の流量制限ノズル（２００）。
【請求項５】
前記スロート部（２０８ｂ／２１０ｂ）が、前記ノズル本体（２０２）の前記出口面（２０６）よりも前記入口面（２０４）の近傍にある、請求項１に記載の流量制限ノズル（２００）。
【請求項６】
前記収束部（２０８ａ／２１０ａ）は、前記入口面（２０４）に第１の領域を有し、前記発散部（２０８ｃ／２１０ｃ）は、前記出口面(２０６)に第２の領域を有し、前記スロート部（２０８ｂ／２１０ｂ）は、前記スロート部（２０８ｂ／２１０ｂ）の最も狭い部分に第３の領域を有し、同第３の領域は、前記第１の領域および前記第２の領域よりも小さい、請求項１に記載の流量制限ノズル（２００）。
【請求項７】
前記収束部（２０８ａ／２１０ａ）が第１の長さを有し、前記発散部（２０８ｃ／２１０ｃ）が第２の長さを有し、前記第１の長さが前記第２の長さよりも小さい、請求項１に記載の流量制限ノズル（２００）。
【請求項８】
前記複数の内部流路（２０８／２１０）が、中央流路（２０８）と、同中央流路（２０８）を取り囲む複数の周辺流路（２１０）とを含む、請求項１に記載の流量制限ノズル（２００）。
【請求項９】
前記中央流路（２０８）の前記スロート部（２０８ｂ）が、前記周辺流路（２１０）の各々の前記スロート部（２１０ｂ）よりも前記ノズル本体（２０２）の前記入口面（２０４）から遠い、請求項８に記載の流量制限ノズル（２００）。
【請求項１０】
前記ノズル本体（２０２）が、前記ノズル本体（２０２）の外部から前記中央流路（２０８）および前記周辺流路（２１０）のうちの少なくとも１つに延びるチャネル（２１４）をさらに形成する、請求項８に記載の流量制限ノズル（２００）。
【請求項１１】
前記チャネル（２１４）が、前記ノズル本体（２０２）の前記入口面（２０４）に向かって斜めに内向きに、前記複数の内部流路（２０８／２１０）のうちの隣接する周辺流路（２１０）の間を延びる、請求項１０に記載の流量制限ノズル（２００）。
【請求項１２】
前記チャネル（２１４）が、前記中央流路（２０８）および前記周辺流路（２１０）のうちの少なくとも１つの前記スロート部（２０８ｂ／２１０ｂ）まで延びる、請求項１０に記載の流量制限ノズル（２００）。
【請求項１３】
前記ノズル本体（２０２）が、同ノズル本体（２０２）の外部から突出する接続スタブ（２１２）をさらに含み、同接続スタブ（２１２）が、前記チャネル（２１４）と流体連通する内部通路を形成する、請求項１０に記載の流量制限ノズル（２００）。
【請求項１４】
原子炉の加圧容器からの流れを制限する方法であって、
前記加圧容器に流量制限ノズル(２００)を固定する工程であって、前記流量制限ノズル（２００）は、入口面（２０４）および出口面（２０６）を含むノズル本体（２０２）を有し、前記ノズル本体（２０２）は、前記入口面（２０４）から前記出口面（２０６）まで延びる複数の内部流路（２０８／２１０）を形成し、前記複数の内部流路（２０８／２１０）の各々は、収束部（２０８ａ／２１０ａ）、スロート部（２０８ｂ／２１０ｂ）、および発散部（２０８ｃ／２１０ｃ）を含む、固定工程と、
前記加圧容器からの流れを、前記流量制限ノズル（２００）の前記複数の内部流路（２０８／２１０）を介して配向する工程とを含む、原子炉の加圧容器からの流れを制限する方法。
【請求項１５】
原子炉の加圧容器のための流量制限ノズル（２００）を製造する方法であって、
入口面（２０４）および出口面（２０６）を含むノズル本体（２０２）であって、同ノズル本体（２０２）は、前記入口面（２０４）から前記出口面(２０６)まで延びる複数の内部流路（２０８／２１０）を形成し、同複数の内部流路（２０８／２１０）の各々は、収束部（２０８ａ／２１０ａ）、スロート部（２０８ｂ／２１０ｂ）、および発散部（２０８ｃ／２１０ｃ）を含む、ノズル本体（２０２）を形成する工程と、
前記加圧容器の予測された圧力変動に基づいて、前記入口面（２０４）上の複数の内部流路（２０８／２１０）の各々の前記収束部(２０８ａ／２１０ａ)を独立して整形し、寸法決めをし、位置決めする工程と、
音響波の補強を緩和するために、前記複数の内部流路（２０８／２１０）の各々の前記スロート部（２０８ｂ／２１０ｂ）を前記入口面(２０４)に対して相対的に独立して間隔をあけて配置する工程とを含む、原子炉の加圧容器のための流量制限ノズル（２００）を製造する方法。
【国際調査報告】
2021506572.tif 000013
2021506572.tif 000014